(57)【要約】【課題】  気象情報の高密度な地域分布を収集する。【解決手段】  各加入者宅にはセンサ３０−１〜３０−ｎを設置し、センター局１０には、各センサとの通信用の光送受信装置１６及びセンサ情報管理サーバ１８を設置する。各加入者宅のＷＤＭ光カップラ２６−１〜２６−ｎ及びセンター局１０のＷＤＭ光カップラ１４により、ＯＬＴ１２とＯＮＵ２８−１〜２８−ｎとの間の通信と、光送受信装置１６と各センサ２６−１〜２６−ｎとの間の通信を波長で分離し、光ファイバ２０，光カップラ２２及び光ファイバ２４−１〜２４−ｎからなる受動光伝送路を両通信で共用する。【選択図】  図１
2006108786.tif 000002
【特許請求の範囲】
【請求項１】
センター局と各加入者宅との間を受動光伝送路（２０，２２，２４−１〜２４−ｎ）で光学的に接続する光伝送システムであって、
各加入者宅には、センサ（３０−１〜３０−ｎ）と、ＯＮＵ（２８−１〜２８−ｎ）と、当該受動光伝送路からの当該センサへの信号光を当該センサに供給し、当該受動光伝送路からの当該ＯＮＵへの下り信号光を当該ＯＮＵに供給し、当該センサの出力信号光と当該ＯＮＵからの上り信号光を当該受動光伝送路に供給する第１のＷＤＭ光カップラ（２６−１〜２６−ｎ）を設置し、
当該センター局には、当該各加入者宅の当該センサ（３０−１〜３０−ｎ）からのセンサ情報を管理するセンサ情報管理サーバ（１８）と、当該各加入者宅の当該センサ（３０−１〜３０−ｎ）との間で通信する光送受信装置（１６）と、当該各加入者宅の当該ＯＮＵ（２８−１〜２８−ｎ）と通信するＯＬＴ（１２）と、当該受動光伝送路からの当該各センサからの信号光を当該光送受信装置（１６）に供給し、当該受動光伝送路からの当該上り信号光を当該ＯＬＴ（１２）に供給し、当該光送受信装置（１６）の出力信号光を当該受動光伝送路に供給し、当該ＯＬＴ（１２）から出力される当該下り信号光を当該受動光伝送路に供給する第２のＷＤＭ光カップラ（１４）を設置し、
当該各センサ（３０−１〜３０−ｎ）から当該光送受信装置（１６）への信号光の波長、当該光送受信装置（１６）から当該各センサ（３０−１〜３０−ｎ）への信号光の波長、当該上り信号光の波長、及び当該下り信号光の波長が互いに異なる
ことを特徴とする光伝送システム。
【請求項２】
当該各センサは、要求に応じて感知情報を出力することを特徴とする請求項１に記載の光伝送システム。
【請求項３】
当該各センサは、定期的に感知情報を出力することを特徴とする請求項１又は２に記載の光伝送システム。
【請求項４】
当該センサ情報管理サーバは、当該各センサの設置位置の情報を保持し、当該各センサからのセンサ情報の地理分布を示すデータを生成することを特徴とする請求項１乃至３の何れか１項に記載の光伝送システム。
【請求項５】
当該センサは、温度、湿度、照度、雨量、風向及び風速の少なくとも１以上を含む気象情報を感知することを特徴とする請求項１に記載の光伝送システム。
【発明の詳細な説明】
【技術分野】
【０００１】
本発明は、各加入者宅に設置したセンサの感知情報を、各加入者のデータ通信とは分離して収集する光伝送システムに関する。
【背景技術】
【０００２】
特許文献１には、情報端末にセンサを接続し、センサの出力する情報（以下、センサ情報という。）をインターネットで送信する構成が記載されている。また、特許文献２には、利用者宅にサーバを設置し、気象情報等を得る方法が記載されている。
【特許文献１】特開２０００−１３８９７８号公報
【特許文献２】特開２００２−２４４５６号公報
【発明の開示】
【発明が解決しようとする課題】
【０００３】
従来の構成では、加入者宅に各センサに接続された情報端末が必要であり、その管理を加入者が行う必要がある。また、インターネット等の一般のネットワークを使用するので、伝送途中でセンサ情報が漏えい又は改変される恐れがあり、セキュリティ上、好ましくない。
【０００４】
そこで本発明では、漏えい又は改変の可能性を低減し、加入者の負担無しで地域的なセンサ情報を収集する光伝送システムを提示することを目的とする。
【課題を解決するための手段】
【０００５】
本発明に係る光伝送システムは、センター局と各加入者宅との間を受動光伝送路で光学的に接続する光伝送システムである。各加入者宅には、センサと、ＯＮＵと、当該受動光伝送路からの当該センサへの信号光を当該センサに供給し、当該受動光伝送路からの当該ＯＮＵへの下り信号光を当該ＯＮＵに供給し、当該センサの出力信号光と当該ＯＮＵからの上り信号光を当該受動光伝送路に供給する第１のＷＤＭ光カップラを設置する。当該センター局には、当該各加入者宅の当該センサからのセンサ情報を管理するセンサ情報管理サーバと、当該各加入者宅の当該センサとの間で通信する光送受信装置と、当該各加入者宅の当該と通信するＯＬＴと、当該受動光伝送路からの当該各センサからの信号光を当該光送受信装置に供給し、当該受動光伝送路からの当該上り信号光を当該ＯＬＴに供給し、当該光送受信装置の出力信号光を当該受動光伝送路に供給し、当該ＯＬＴから出力される当該下り信号光を当該受動光伝送路に供給する第２のＷＤＭ光カップラを設置する。当該各センサから当該光送受信装置への信号光の波長、当該光送受信装置から当該各センサへの信号光の波長、当該上り信号光の波長、及び当該下り信号光の波長が互いに異なる。
【発明の効果】
【０００６】
本発明によれば、ＰＯＮシステムの光伝送路部分を流用して、センター局のセンサ情報管理サーバにセンサ情報の高密度な地理的分布データを集約できる．サーバ・センサ間にインターネット等の一般のネットワークを使用せず、特定波長により、センタから直接、各センサを管理してセンサ情報を収集することができる。これにより、加入者にセンサ情報取得のための管理を煩わせることなく、セキュリティを保ちながらセンサ情報を収集することができる。
【発明を実施するための最良の形態】
【０００７】
以下、図面を参照して、本発明の実施例を詳細に説明する。
【０００８】
図１は、本発明の一実施例の概略構成ブロック図を示す。本実施例では、ＰＯＮ（Optical passive Network）システムの各加入者宅にセンサを配置すると共に、センター局には、各加入者宅のセンサを管理し、センサ情報を収集するセンサ情報管理サーバを設け、ＰＯＮシステムの光伝送路上では、ＰＯＮシステムの信号伝送とは異なる波長でセンサ情報及びセンサの制御信号を伝送する。これにより、ＰＯＮシステムの信号伝送と、センサ情報及びセンサ制御信号とを、互いに隔離した状態で運用可能にした。
【０００９】
図１の構成と動作を具体的に説明する。センター局１０には、ＰＯＮシステムのセンター側の光終端装置であるＯＬＴ（Optical Line Terminal）１２に加えて、ＷＤＭ光カップラ１４，センサ通信用光送受信装置１６及びセンサ情報管理サーバ１８が設置される。ＷＤＭ光カップラ１４は、ＰＯＮシステムの本来のデータ通信の上り信号光及び下り信号光に関して、ＯＬＴ１２から出力される波長λ１の下り信号光を光ファイバ２０に出力し、光ファイバ２０からの波長λ２の上り信号光をＯＬＴ１２に供給する。ＷＤＭ光カップラ１４はまた、センサ制御信号とセンサ情報に関して、センサ通信用光送受信装置１６から出力される波長λ３のセンサ制御信号光を光ファイバ２０に供給し、光ファイバ２０からの波長λ４のセンサ情報信号光をセンサ通信用光送受信装置１６に供給する。波長λ１，λ２，λ３及びλ４は互いに異なる。なお、本実施例では、センサ情報は、センサが感知した情報以外に、問合せ等に応じてセンサが回答する情報、例えば、センサの状態を示す情報を含む。
【００１０】
ＷＤＭ光カップラ１４は、ＯＬＴ１２からの下り信号光と、センサ通信用光送受信装置１６からの制御制御信号光を波長軸上で多重して、光ファイバ２０に出力する。
【００１１】
光ファイバ２０は光カップラ２２に接続する。光カップラ２２は、１：ｎの光スプリッタであり、波長に依存せずに、光ファイバ２０からの入力光をｎ分割し、各分割光を光ファイバ２４−１〜２４−ｎに出力する。光カップラ２２はまた、波長に依存せずに、光ファイバ２４−１〜２４−ｎからの光を、光ファイバ２０に出力する。従って、光カップラ１４は、光ファイバ２０からの下り信号光及びセンサ制御信号光を光ファイバ２４−１〜２４−ｎのそれぞれに供給する。
【００１２】
各光ファイバ２４−１〜２４−ｎの他端は、波長λ１，λ２と波長λ3，λ４とを分離するＷＤＭ光カップラ２６−１〜２６−ｎに接続する。ＷＤＭ光カップラ２６−１〜２６−ｎは、光ファイバ２４−１〜２４−ｎからの波長λ１の下り信号光をユーザ側の光終端装置であるＯＮＵ（Optical network Unit）２８−１〜２８−ｎに供給し、光ファイバ２４−１〜２４−ｎからの波長λ３のセンサ制御信号光をセンサ３０−１〜３０−ｎに供給する。
【００１３】
ＯＮＵ２８−１〜２８−ｎは、ＷＤＭ光カップラ２６−１〜２６−ｎからの下り信号光を受光して電気信号に変換し、端末３２−１〜３２−ｎに供給する。これにより、各端末３２−１〜３２−ｎは、ＯＬＴ１２の上流に位置するネットワークからの信号を受信できる。勿論、ＯＮＵ２８−１〜２８−ｎは、下り信号光から、自己宛ての信号と配下のユーザ装置宛ての信号のみを取り込む。
【００１４】
ＯＮＵ２８−１〜２８−ｎはまた、端末３２−１〜３２−ｎからの上り信号を光信号、即ち、波長λ２の上り信号光に変換して、ＷＤＭ光カップラ２６−１〜２６−ｎに供給する。ＷＤＭ光カップラ２６−１〜２６−ｎは、ＯＮＵ２８−１〜２８−ｎからの波長λ２の上り信号光を光ファイバ２４−１〜２４−ｎに出力する。
【００１５】
他方、センサ３０−１は、ＷＤＭ光カップラ２６−１〜２６−ｎからのセンサ制御信号光を受信し、センサ制御信号の内容に従って動作する。センサ制御信号の内容は、例えば、センサ結果の問合せやセンサ３０−１〜３０−ｎの動作状態の問合せである。センサ３０−１〜３０−ｎは、例えば、周囲の温度、湿度、照度、雨量、風向及び／又は風速等の気象状況を感知する。センサ３０−１〜３０−ｎは、問合せに応じて又は定期的に、センサ結果を波長λ４のセンサ情報信号光として出力する。ＷＤＭ光カップラ２６−１〜２６−ｎは、センサ３０−１〜３０−ｎからの波長λ４のセンサ情報信号光を光ファイバ２４−１〜２４−ｎに供給する。
【００１６】
このようにして、ＷＤＭ光カップラ２６−１〜２６−ｎは、上り信号光とセンサ情報信号光を波長軸上で多重して、光ファイバ２４−１〜２４−ｎに出力する。各加入者の上り信号光とセンサ情報信号光は、光ファイバ２４−１〜２４−ｎ、光カップラ２２及び光ファイバ２０を伝送して、ＷＤＭ光カップラ１４に入射する。勿論、各ＯＮＵ２８−１〜２８−ｎは、光ファイバ２０、光カップラ２２及び光ファイバ２４−１〜２４−ｎからなる光伝送路上で互いに衝突しないように、異なるタイミングで上り信号光を出力する。同様に、各センサ３０−１〜３０−ｎもまた、光ファイバ２０、光カップラ２２及び光ファイバ２４−１〜２４−ｎからなる光伝送路上で互いに衝突しないように、異なるタイミングでセンサ情報信号光を出力する。
【００１７】
ＷＤＭ光カップラ１４−１〜１４−ｎは、光ファイバ２０からの波長λ２の上り信号光をＯＬＴ１２に供給し、光ファイバ２０からの波長λ４のセンサ情報信号光をセンサ通信用光送受信装置１６に供給する。
【００１８】
ＯＬＴ１２は、ＷＤＭ光カップラ１４からの上り信号光を受光し、上り信号を上位のネットワークに出力する。勿論、上り信号がＯＬＴ１２に宛てたものである場合、ＯＬＴ１２は、上り信号の内容に応じて動作する。
【００１９】
センサ通信用光送受信装置１６は、ＷＤＭ光カップラ１４からのセンサ情報信号光を受信し、センサ情報をセンサ情報管理サーバ１８に供給する。このようにして、各センサ３０−１〜３０−ｎの感知結果が、センサ情報管理サーバ１８に集約される。センサ情報管理サーバ１８は、収集したセンサ情報を、ネットワーク経由で図示しない統合サーバ及び／又は加入者に送信する。
【００２０】
センサ情報管理サーバ１８には予め、各センサ３０−１〜３０−ｎの設置場所の情報、例えば、緯度・経度及び／又は住所が記録されている。収集したセンサ情報と、各センサ３０−１〜３０−ｎの設置場所とから、センサ情報の地理的な分布を知ることができ、かつまた、その時間変化を蓄積できる。１つのＰＯＮシステムに接続する加入者は、狭い地域内に集中しているので、高密度の気象情報の地理的分布とその時間変化を得ることができる。このようにして得られる気象データを、気象情報会社に有償又は無償で提供することで、気象情報会社は、都市部又は住居地域の極めて高密度な気象データを入手でき、これを公的に提供される全国的な低密度の気象データと組み合わせることで、局地的な高精度の気象予測が可能になり、その精度も向上する。
【００２１】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２２】
【図１】本発明の一実施例の概略構成ブロック図である。
【符号の説明】
【００２３】
１０：センター局
１２：ＯＬＴ
１４：ＷＤＭ光カップラ
１６：センサ通信用光送受信装置
１８：センサ情報管理サーバ
２０：光ファイバ
２２：光カップラ
２４−１〜２４−ｎ：光ファイバ
２６−１〜２６−ｎ：ＷＤＭ光カップラ
２８−１〜２８−ｎ：ＯＮＵ
３０−１〜３０−ｎ：センサ
３２−１〜３２−ｎ：端末
【図１】
2006108786.tif 000003